【手続補正書】
【提出日】平成24年2月7日(2012.2.7)
【手続補正１】
【補正対象書類名】明細書
【補正対象項目名】０００７
【補正方法】変更
【補正の内容】
【０００７】
［１］  式（１）で表される化合物の群から選択される少なくとも１つの化合物である（Ａ）成分および式（２）で表される化合物の群から選択される少なくとも１つの化合物である（Ｂ）成分を含有し、式（３−１）〜式（３−２）で表される化合物の群から選択される少なくとも１つの化合物である（Ｃ）成分を含有してもよく、そして式（４）で表される化合物の群から選択される少なくとも１つの化合物である（Ｄ）成分を含有してもよい重合性液晶組成物。
2010077393.tif 000001
（Ｗ１は独立して水素、フッ素、塩素、メチルまたはエチルであり；
Ｘ１は独立して水素、フッ素、メチルまたはトリフルオロメチルであり；
Ｚ１１は単結合、−ＣＯＯ−、−ＣＨ＝ＣＨ−ＣＯＯ−、−ＣＨ２ＣＨ２−ＣＯＯ−、−ＣＨ２Ｏ−、−ＣＯＮＨ−、−（ＣＨ２）４−、−ＣＨ２ＣＨ２−または−Ｃ≡Ｃ−であり；
Ｚ１２は単結合、−ＯＣＯ−、−ＯＣＯ−ＣＨ＝ＣＨ−、−ＯＣＯ−ＣＨ２ＣＨ２−、−ＯＣＨ２−、−ＮＨＣＯ−、−（ＣＨ２）４−、−ＣＨ２ＣＨ２−または−Ｃ≡Ｃ−であり；
Ｚ１３およびＺ１４は独立して単結合または−Ｏ−であり；
Ａ１は独立して１，４−シクロへキシレン、１，４−フェニレン、１，３−フェニレン、ピリジン−２，５−ジイル、ピリミジン−２，５−ジイル、ナフタレン−２，６−ジイル、またはテトラヒドロナフタレン−２，６−ジイルであり；１，３−フェニレンおよび１，４−フェニレンにおける任意の水素は、フッ素、塩素、シアノ、メチル、エチル、メトキシ、ヒドロキシ、ホルミル、アセトキシ、アセチル、トリフルオロアセチル、ジフルオロメチル、またはトリフルオロメチルで置き換えられてもよく；
Ｙ１は独立して炭素数２〜２０のアルキレンであり、このアルキレンにおいて任意の水素はフッ素または塩素で置き換えられてもよく、任意の−ＣＨ２−は−Ｏ−、−ＣＯＯ−、−ＯＣＯ−、−ＣＨ＝ＣＨ−または−Ｃ≡Ｃ−で置き換えられてもよい。）
2010077393.tif 000002

（Ａ２は式（Ａ２−１）〜式（Ａ２−１８）のいずれか１つで表される基であり；
2010077393.tif 000003
Ｘ２は独立して水素、フッ素、メチル、またはトリフルオロメチルであり；
Ｗ２は独立して水素、ハロゲン、炭素数１〜３のアルキル、または炭素数１〜３のフルオロアルキルであり；
Ｙ２は独立して単結合、−ＣＨ＝ＣＨ−、または−（ＣＨ２）２−であり；
ｎ２は独立して２〜１５の整数である。）
2010077393.tif 000004

2010077393.tif 000005

（式（３−１）において、
Ｘ３１は独立して水素、フッ素またはメチルであり；
Ｗ３１は独立して水素またはメチルであり；
Ｗ３２は独立して水素またはフッ素であり；
ｎ３１は独立して２〜１０の整数であり；
式（３−２）において、
Ｘ３２は独立して水素、フッ素またはメチルであり；
Ｚ３１は独立して−Ｏ−または式（ａ）で表される基であり；
2010077393.tif 000006
Ｚ３２は独立して単結合、−ＣＨ２ＣＨ２−または−ＣＨ＝ＣＨ−であり；
Ｗ３３は独立して水素、フッ素、メチルまたはトリフルオロメチルであり；
Ｗ３４は独立して水素またはフッ素であり；
ｎ３２は独立して２〜１０の整数である。）
2010077393.tif 000007

（Ｘ４は水素、フッ素またはメチルであり；
Ｒ４は−ＣＮ、−ＯＣＦ３、炭素数１〜１０のアルキル、または炭素数１〜１０のアルコキシであり；
Ｗ４は水素またはフッ素であり；
Ｚ４１は−Ｏ−または前記の式（ａ）で表される基であり；
Ｚ４２は単結合、−Ｃ≡Ｃ−または−ＣＯＯ−であり；
ｎ４は２〜１０の整数である。）
【手続補正２】
【補正対象書類名】明細書
【補正対象項目名】００１０
【補正方法】変更
【補正の内容】
【００１０】
本発明は上記の［１］項と下記の［２］〜［１８］項とで構成される。
［２］  式（１）で表される化合物の群から選択される少なくとも１つの化合物である（Ａ）成分および式（２）で表される化合物の群から選択される少なくとも１つの化合物である（Ｂ）成分を含有し、式（３−１）〜式（３−２）で表される化合物の群から選択される少なくとも１つの化合物である（Ｃ）成分を含有してもよく、そして式（４）で表される化合物の群から選択される少なくとも１つの化合物である（Ｄ）成分を含有してもよい組成物であって、
式（１）において、
Ｗ１が独立して水素またはメチルであり；
Ｘ１が独立して水素、フッ素またはメチルであり；
Ｚ１１が−ＣＯＯ−、−ＣＨ＝ＣＨ−ＣＯＯ−または−ＣＨ２ＣＨ２−ＣＯＯ−であり；
Ｚ１２が−ＯＣＯ−、−ＯＣＯ−ＣＨ＝ＣＨ−または−ＯＣＯ−ＣＨ２ＣＨ２−であり；
Ｚ１３およびＺ１４が独立して単結合または−Ｏ−であり；
Ａ１が独立して１，４−フェニレンまたは１，３−フェニレンであって、これらの環における任意の水素はフッ素または塩素で置き換えられてもよく；
Ｙ１が独立して炭素数２〜１４のアルキレンであって、このアルキレンにおける任意の−ＣＨ２−は−Ｏ−で置き換えられてもよく；
式（２）において、
Ａ２が式（Ａ２−１）〜式（Ａ２−８）および式（Ａ２−１１）〜式（Ａ２−１８）のいずれか１つで表される基であり；
Ｘ２が独立して水素またはメチルであり；
Ｗ２が独立して水素またはフッ素であり、
Ｙ２が独立して単結合、−ＣＨ＝ＣＨ−または−（ＣＨ２）２−であり；
ｎ２が独立して２〜１０の整数であり；
式（３−１）において、
Ｘ３１が独立して水素、フッ素またはメチルであり；
Ｗ３１が独立して水素またはメチルであり；
Ｗ３２が独立して水素またはフッ素であり；
ｎ３１は独立して２〜１０の整数であり；
式（３−２）において、
Ｘ３２が独立して水素、フッ素またはメチルであり：
Ｚ３１が独立して−Ｏ−または式（ａ）で表される基であり；
Ｚ３２がそれぞれ独立して単結合、−ＣＨ２ＣＨ２−または−ＣＨ＝ＣＨ−であり；
Ｗ３３が独立して水素、フッ素、メチルまたはトリフルオロメチルであり；
Ｗ３４が独立して水素またはフッ素であり；
ｎ３２が独立して２〜１０の整数であり；
式（４）において
Ｘ４が水素、フッ素またはメチルであり；
Ｒ４が−ＣＮ、−ＯＣＦ３、炭素数１〜１０のアルキル、または炭素数１〜１０のアルコキシであり；
Ｗ４が水素またはフッ素であり；
Ｚ４１が−Ｏ−または式（ａ）で表される基であり；
Ｚ４２が単結合、−Ｃ≡Ｃ−または−ＣＯＯ−であり；
ｎ４が２〜１０の整数である、
［１］項に記載の重合性液晶組成物。
【手続補正３】
【補正対象書類名】明細書
【補正対象項目名】００１１
【補正方法】変更
【補正の内容】
【００１１】
［３］  式（１）で表される化合物の群から選択される少なくとも１つの化合物である（Ａ）成分および式（２）で表される化合物の群から選択される少なくとも１つの化合物である（Ｂ）成分を含有し、式（３−１）〜式（３−２）で表される化合物の群から選択される少なくとも１つの化合物である（Ｃ）成分を含有してもよく、そして式（４）で表される化合物の群から選択される少なくとも１つの化合物である（Ｄ）成分を含有してもよい組成物であって、
式（１）において、
Ｗ１が独立して水素またはメチルであり；
Ｘ１が独立して水素またはメチルであり；
Ｚ１１が−ＣＯＯ−、−ＣＨ＝ＣＨ−ＣＯＯ−または−ＣＨ２ＣＨ２−ＣＯＯ−であり；
Ｚ１２が−ＯＣＯ−、−ＯＣＯ−ＣＨ＝ＣＨ−または−ＯＣＯ−ＣＨ２ＣＨ２−であり；
Ｚ１３およびＺ１４が独立して単結合または−Ｏ−であり；
Ａ１が独立して１，４−フェニレンまたは１，３−フェニレンであって、これらの環における任意の水素はフッ素または塩素で置き換えられてもよく；
Ｙ１が独立して炭素数２〜１４のアルキレンであって、このアルキレンにおける任意の−ＣＨ２−は−Ｏ−で置き換えられてもよく；
式（２）において、
Ａ２が式（Ａ２−１）、式（Ａ２−４）、式（Ａ２−１１）、式（Ａ２−１２）、式（Ａ２−１６）および式（Ａ２−１８）のいずれか１つで表される基であり；
Ｘ２が独立して水素またはメチルであり；
Ｗ２が独立して水素またはフッ素であり、
Ｙ２が独立して単結合、−ＣＨ＝ＣＨ−、または−（ＣＨ２）２−であり；
ｎ２が独立して２〜１０の整数であり；
式（３−１）において、
Ｘ３１が独立して水素、フッ素またはメチルであり；
Ｗ３１は独立して水素またはメチルであり；
Ｗ３２は独立して水素またはフッ素であり；
ｎ３１は独立して２〜１０の整数であり；
式（３−２）において、
Ｘ３２が独立して水素、フッ素またはメチルであり；
Ｚ３１が独立して−Ｏ−または式（ａ）で表される基であり；
Ｚ３２が独立して単結合、−ＣＨ２ＣＨ２−または−ＣＨ＝ＣＨ−であり；
Ｗ３３が独立して水素、メチルまたはトリフルオロメチルであり；
Ｗ３４が水素であり；
ｎ３２は独立して２〜１０の整数であり；
式（４）において
Ｘ４が水素またはメチルであり；
Ｒ４が−ＣＮ、−ＯＣＦ３、炭素数１〜１０のアルキル、または炭素数１〜１０のアルコキシであり；
Ｗ４が水素またはフッ素であり；
Ｚ４１が−Ｏ−または式（ａ）で表される基であり；
Ｚ４２が単結合、−Ｃ≡Ｃ−または−ＣＯＯ−であり；
ｎ４が２〜１０の整数である、
［１］項に記載の重合性液晶組成物。
【手続補正４】
【補正対象書類名】明細書
【補正対象項目名】００２３
【補正方法】変更
【補正の内容】
【００２３】
［１５］  重合性液晶組成物の配向がホモジニアス配向である、［１４］項に記載の光学異方性を有するフィルム。
【手続補正５】
【補正対象書類名】明細書
【補正対象項目名】００２４
【補正方法】変更
【補正の内容】
【００２４】
［１６］  重合性液晶組成物の配向がホメオトロピック配向である、［１４］項に記載の光学異方性を有するフィルム。
【手続補正６】
【補正対象書類名】明細書
【補正対象項目名】００２５
【補正方法】変更
【補正の内容】
【００２５】
［１７］  重合性液晶組成物の配向がハイブリッド配向である、［１４］項に記載の光学異方性を有するフィルム。
【手続補正７】
【補正対象書類名】明細書
【補正対象項目名】０１３８
【補正方法】変更
【補正の内容】
【０１３８】
塗膜の熱処理は、溶剤が除去され重合性液晶組成物の均一配向性が得られる条件で行うことが好ましい。重合性液晶組成物の液晶相転移点以上で行ってもよい。熱処理方法の一例は、前記重合性液晶組成物がネマチック液晶相を示す温度まで塗膜を加温して、塗膜中の重合性液晶組成物にネマチック配向を形成させる方法である。重合性液晶組成物がネマチック液晶相を示す温度範囲内で、塗膜の温度を変化させることによってネマチック配向を形成させてもよい。この方法は、上記温度範囲の高温域まで塗膜を加温することによって塗膜中にネマチック配向を概ね完成させ、次いで温度を下げることによってさらに秩序だった配向にする方法である。上記のどちらの熱処理方法を採用する場合でも、熱処理温度は室温〜１２０℃である。この温度の好ましい範囲は室温〜１００℃であり、より好ましい範囲は室温〜９０℃、さらに好ましい範囲は室温〜８５℃である。熱処理時間は５秒〜２時間である。この時間の好ましい範囲は１０秒〜４０分であり、より好ましい範囲は２０秒〜２０分である。重合性液晶組成物からなる層の温度を所定の温度まで上昇させるためには、熱処理時間を５秒以上にすることが好ましい。生産性を低下させないためには、熱処理時間を２時間以内にすることが好ましい。このようにして本発明の重合性液晶層が得られる。
【手続補正８】
【補正対象書類名】特許請求の範囲
【補正対象項目名】請求項１５
【補正方法】変更
【補正の内容】
【請求項１５】
重合性液晶組成物の配向がホモジニアス配向である請求項１４に記載の光学異方性を有するフィルム。
【手続補正９】
【補正対象書類名】特許請求の範囲
【補正対象項目名】請求項１６
【補正方法】変更
【補正の内容】
【請求項１６】
重合性液晶組成物の配向がホメオトロピック配向である請求項１４に記載の光学異方性を有するフィルム。
【手続補正１０】
【補正対象書類名】特許請求の範囲
【補正対象項目名】請求項１７
【補正方法】変更
【補正の内容】
【請求項１７】
重合性液晶組成物の配向がハイブリッド配向である請求項１４に記載の光学異方性を有するフィルム。